(57)【特許請求の範囲】
【請求項１】
被写体の逆光度合いを検出する逆光検出手段と、
ユーザの指示に応じて逆光補正を行うために第１の階調補正量を設定する逆光補正手段と、
前記逆光補正手段により設定される前記第１の階調補正量と前記逆光検出手段により検出された逆光度合いに基づいて設定される第２の階調補正量との和があらかじめ決められた値以上になる場合、前記第１の階調補正量と前記第２の階調補正量との和よりも階調補正に用いる階調補正量を制限する階調制御手段と、
前記制限された階調補正量を露出補正で補う露出制御手段と、を有することを特徴とする撮像装置。
【請求項２】
前記階調制御手段は、ユーザの指示に応じて前記第１の階調補正量が設定される前に前記逆光検出手段により検出された逆光度合いに基づいて設定される前記第２の階調補正量と当該第１の階調補正量との和があらかじめ決められた値以上になる場合、前記第１の階調補正量と前記第２の階調補正量との和よりも階調補正に用いる階調補正量を制限することを特徴とする請求項１に記載の撮像装置。
【請求項３】
複数の測光領域の測光値を取得する測光値取得手段と、
前記測光値取得手段により取得された測光値に基づいて、輝度ヒストグラムを生成する生成手段と、を有し、
前記逆光検出手段は、前記生成手段により生成された輝度ヒストグラムにおいて、輝度値が閾値未満である要素数の全体に対する割合に基づいて、前記逆光度合いを検出することを特徴とする請求項１または２に記載の撮像装置。
【請求項４】
前記逆光検出手段は、前記輝度ヒストグラムにおいて、前記閾値未満である要素数の全体に対する割合が所定値以上であれば逆光状態と判定することを特徴とする請求項３に記載の撮像装置。
【請求項５】
被写体の逆光度合いを検出する逆光検出工程と、
ユーザの指示に応じて逆光補正を行うために第１の階調補正量を設定する逆光補正工程と、
前記逆光補正工程で設定される前記第１の階調補正量と前記逆光検出工程で検出された逆光度合いに基づいて設定される第２の階調補正量との和があらかじめ決められた値以上になる場合、前記第１の階調補正量と前記第２の階調補正量との和よりも階調補正に用いる階調補正量を制限する階調制御工程と、
前記制限された階調補正量を露出補正で補う露出制御工程と、を有することを特徴とする撮像装置の制御方法。
【発明の詳細な説明】
【技術分野】
【０００１】
本発明は撮像装置により得られる画像の明るさを制御する技術に関するものである。
【背景技術】
【０００２】
従来の逆光補正にはカメラが自動で判断して明るさを制御する自動逆光補正と、ユーザが画像を更に明るくしたいときに逆光補正ボタンを押したりすることにより明るさを制御する強制逆光補正がある。具体的には、自動逆光補正は、撮影画像の画面上を複数分割して、各エリアの輝度レベルから逆光状態を判別して、露出補正もしくは階調補正にて画像を明るく補正する処理である（特許文献１参照）。また、強制逆光補正は、ユーザが強制逆光補正ボタンを押下した場合に、露出補正もしくは階調補正を所定の補正量だけ一律に行うものである。
【０００３】
自動逆光補正はカメラが自動で被写体を判断する適応処理であるため苦手被写体が存在し、ユーザが考える主被写体を十分に補正しきれない場合があったり、誤補正を回避軽減するために補正量を弱めに設定する場合があった。この弱点を補うため、強制逆光補正にてある一定量だけ露出補正または階調補正を行い、大きな効果を得ることが出来ていた。
【先行技術文献】
【特許文献】
【０００４】
【特許文献１】特開２００３−１１６０４９号公報
【発明の概要】
【発明が解決しようとする課題】
【０００５】
しかしながら、上記従来例では自動逆光補正を行っている最中に強制逆光補正を行った場合、露出補正や階調補正が二重にかかることになり、主被写体は適度な明るさで撮影することが出来ても、画面全体の雰囲気が壊されてしまう場合があった。例えば、露出補正が二重にかかると背景が白飛びしすぎてしまったり、階調補正が二重にかかると、階調性が悪化したりする問題点があった。
【０００６】
本発明は上述した問題点を解決するためのものであり、自動的に自然な階調を保つことができ、かつユーザの要求する更に明るくの意思にある程度応えることができるようにすることを目的とする。
【課題を解決するための手段】
【０００７】
上記課題を解決するために、本発明の撮像装置は、被写体の逆光度合いを検出する逆光検出手段と、ユーザの指示に応じて逆光補正を行うために第１の階調補正量を設定する逆光補正手段と、前記逆光補正手段により設定される前記第１の階調補正量と前記逆光検出手段により検出された逆光度合いに基づいて設定される第２の階調補正量との和があらかじめ決められた値以上になる場合、前記第１の階調補正量と前記第２の階調補正量との和よりも階調補正に用いる階調補正量を制限する階調制御手段と、前記制限された階調補正量を露出補正で補う露出制御手段と、を有することを特徴とする。
【発明の効果】
【０００８】
本発明によれば、自動的に自然な階調を保つことができ、かつユーザの要求する更に明るくの意思にある程度応えることができる。
【図面の簡単な説明】
【０００９】
【図１】本発明の実施形態のビデオカメラの構成を示すブロック図
【図２】本発明の実施形態の逆光補正度合いを検出するときに使用するヒストグラム
【図３】本発明の第１の実施形態における露出、階調補正量を求めるためのグラフ
【図４】本発明の第１の実施形態における明るさの変化を示した図
【図５】本発明の第１の実施形態におけるフローチャート
【図６】本発明の第２の実施形態における露出、階調補正量を求めるためのグラフ
【図７】本発明の第２の実施形態における明るさの変化を示した図
【図８】本発明の第２の実施形態におけるフローチャート
【発明を実施するための形態】
【００１０】
以下、図面を参照し、本発明を実施するための形態について詳細に説明する。
【００１１】
＜第１の実施形態＞
図１は、本発明の実施形態におけるビデオカメラ（撮像装置）の構成を示すブロック図である。１００は被写体の結像用レンズの一番前側にある固定レンズ、１０１は入射光量を制御する絞り機構、１１１は絞り機構１０１を駆動するＩＧメータであり、ＩＧメータドライバ１２１により駆動させる。１１２は絞り機構１０１の位置を検出する為のホールセンサである。１３０は入射した光を光電変換するセンサ、１３１はセンサ１３０で光電変換された信号をサンプリングするサンプルホールド部である。また、１３２はサンプルホールド部１３１から出力されたアナログの画像信号をディジタル信号に変換するアナログ−ディジタル変換器（以下、Ａ／Ｄ変換器と称す）である。１３３は階調補正後、色分離、色差マトリクス等の処理を施した後に、同期信号を加え標準テレビジョン信号を生成したりする制御機能を有したカメラ信号処理部（以下ＤＳＰと称す）である。１３４は画像データをモニタ出力用に階調変換を行う階調変換部である。１３５は画面を複数分割した各測光枠のデータを取得する測光値取得部である。１４０は測光値取得部１３５で取得したデータを元に、露出が適正からどれくらい離れているかの指標となる評価値を生成する評価値算出部である。１４１、１４２、１４３はＡＥ評価値算出部で算出された評価値をもとに、ＡＧＣ回路１３３を制御するＡＧＣ制御部、センサ１３０の蓄積時間を制御するシャッタデータ制御部、絞り１０１の開口径を制御する絞り位置制御部である。
【００１２】
１４５は測光値取得部１３５のデータを受けて画像の逆光状態を判別する自動逆光検出部である。その判別方法は、まず、図２に示すように測光値取得部１３５から出力された測光値を用いて、横軸を輝度値とするヒストグラムを生成する。そして、画像のうち所定の暗部値を示す閾値Ａより下回った要素数の合計が全体の要素数の合計の５％以上であれば逆光状態であると判定し、５％より超えただけ逆光状態が強いと判定する。なお、要素数の定義は測定値の取得手法により様々存在するが、本実施形態では単純に１画面の画像を正方形のメッシュ分割し、各分割データを１つの要素としてカウントするものとする。
【００１３】
本実施形態では、逆光度合いＢを以下のように計算する。
逆光度合いＢ  ＝  閾値Ａ以下の要素数の割合（％）−  ５％  （式１）
このように、自動逆光検出部１４５で算出した逆光度合いを、１４６の露出補正量変更部と１４７の階調補正量変更部に送る。そして、それぞれのユニットにおいて、逆光度合いから露出補正量と階調補正の変更量を図３のように決定する。
【００１４】
図３（ｂ）のように、逆光度合いが０から１０へと上昇すると、階調により明るさがＥｖ値換算で０．２５Ｅｖ分補正され、図３（ａ）のように、逆光度合いが１０から２０へと上昇すると、露出補正により明るさが０．２５Ｅｖ分補正される。
【００１５】
この補正の様子を階調の入出力特性で説明すると図４（ａ）のようになる。本実施形態では、入力１０ｂｉｔ出力８ｂｉｔの入出力特性を用いて説明しているが、本発明はこれに限らず、任意のｂｉｔ数による入出力関係を有していてよい。まず黒つぶれした被写体が図面中の丸の位置に存在する。逆光度合いがあ２０以上の場合は、まず階調補正で図面中の四角まで０．２５Ｅｖ分補正を行い、その後、露出補正により、図面中の三角まで０．２５Ｅｖ分補正を行う。以上が自動逆光補正のみの動作となる。当然、図２のヒストグラム上で設定されている閾値Ａは露出変更分だけ変更する。そうしないと、逆光度合いＢの値が露出補正により変化してしまい、補正効果が薄れてしまうからである。
【００１６】
１４８は強制逆光検出部であり、ユーザが強制逆光補正の指示を出すために強制逆光補正ボタン１６０を押した場合、階調を強制的に補正する命令を露出補正量変更部１４６と階調補正量変更部１４７に対して出す。本実施形態では、露出と階調の強制逆光補正量は露出補正量が０．５Ｅｖであり、階調補正量がＥｖ値換算で０．５Ｅｖ分としている。
【００１７】
この補正の様子を階調の入出力特性で説明すると図４（ｂ）のようになる。まず黒つぶれした被写体が図面中の丸の位置に存在する。強制逆光補正ボタン１６０が押されたら、まず階調補正で図面中の四角まで０．５Ｅｖ分補正を行い、その後、露出補正により、図面中の三角まで０．５Ｅｖ分補正を行う。
【００１８】
ここで、自動逆光補正中に強制逆光補正ボタン１６０が押された場合の露出補正と階調補正について説明する。
【００１９】
まず、自動逆光検出部１４５で算出された逆光度合いＢが１０であるとする。すると、図３に示したように、階調補正が０．２５Ｅｖ相当分補正され、露出補正は行われない。この状態で、ユーザにより強制逆光補正ボタン１６０が押された場合、自動逆光補正で行っている全補正をロックする。これは、これから行われる強制逆光補正の補正結果により逆光度合い１０が変化してしまう可能性があるからである。強制逆光補正で補正する補正量は本来であれば、階調補正量０．５Ｅｖ相当分と露出補正量０．５Ｅｖ分が補正量として上乗せされる。
【００２０】
これを図４（ｃ）を用いて説明すると、まず自動逆光補正で階調補正が０．２５Ｅｖ相当分補正されて白丸から白四角に変化する。その後、強制逆光補正により、階調補正０．５Ｅｖ相当分で合計０．７５Ｅｖ相当分の黒星に変化し、露出補正０．５Ｅｖ分で黒三角に変化する。しかし、この補正では図４（ｃ）の実線で示す補正前の階調カーブと破線で示した補正後のそれぞれのカーブの交わる（原点でない）付近での階調性が、階調補正量が上昇するほど悪化するのがわかる。したがって、自然なコントラストの画像を得るために階調補正には限度があり、本実施形態においてはそれを０．５Ｅｖ相当としている。この数値は実際に撮影を行い画像を確認しながら効果と弊害のバランスで決めていくものであり、一義的に決まるものではない。
【００２１】
本実施形態の動作としては、まず自動逆光補正で階調補正が０．２５Ｅｖ相当分補正されて白丸から白四角に変化する。その後、強制逆光補正により、階調補正は合計０．５Ｅｖ相当分の限度に達し、白星で止まる。そして露出補正０．５Ｅｖ分で白三角に変化する。この階調補正量の限度判断は図１の階調補正量変更部１４７が行うこととなる。この動作制限により、自然な階調を保ったまま、強制逆光補正の効果を出すことができる。更には、階調補正で補正しきれなかった０．２５Ｅｖ分、合計０．７５Ｅｖの露出補正を行うことで、狙った被写体の明るさにおいては強制逆光補正分の効果をすべて得ることができるようになる（図４（ｄ））。
【００２２】
以上、図１の各処理ユニットの機能を説明してきたが、ユニット１４１〜１４８は、それぞれハードウェアとして回路基板上に実装される形態でも、ソフトウェアモジュールとしてビデオカメラのＣＰＵ（図示せず）により実装される形態でも、いずれでも良い。
【００２３】
以上説明してきた動作を図５のフローチャートを用いて説明する。本手順は、ビデオカメラのＣＰＵ（図示せず）が、各処理ユニットを制御し、その機能を動作させることにより実行される。
【００２４】
まず、ステップＳ１０１で、自動逆光検出部１４５は、撮影画像の逆光度合いＢを算出する。
【００２５】
ステップＳ１０２において、強制逆光検出部１４８は、強制逆光補正ボタン１６０が押されたかどうかを判定し、押されたと判定されたら、図示しないＣＰＵは、ステップＳ１０９へ進め、自動逆光補正を強制終了させる。押されていないと判定されたならば、自動逆光補正を継続するためステップＳ１０３へ進める。
【００２６】
ステップＳ１０３において、階調補正量変更部１４７はステップＳ１０１で算出された逆光度合いＢを元に自動逆光用の階調補正量を算出し、階調変換部１３４は、算出された階調補正量に従い撮影画像の階調補正を行う。
【００２７】
ステップＳ１０４にて、図示しないＣＰＵは、ステップＳ１０３で階調変換部１３４に動作させていた階調補正が終了したかを判断し、階調補正動作が終了したと判断したらステップＳ１０５に進める。終了していなければステップＳ１０２に戻り、補正動作を続けさせる。
【００２８】
次に、ステップＳ１０５において、強制逆光検出部１４８は、再び強制逆光補正ボタンが押されたかどうかを判定し、押されたと判定されたら、図示しないＣＰＵは、ステップＳ１０９へ進め、自動逆光補正を強制終了させる。押されていないと判定されたならば、自動逆光補正を継続するためステップＳ１０６へ進める。
【００２９】
ステップＳ１０６において、露出補正量変更部１４６はステップＳ１０１で算出された逆光度合いＢを元に自動逆光用の露出補正量を算出する。そして、ＡＥ評価値算出部１４０は算出された露出補正量をもとに評価値を算出し、各処理ユニット１４１〜１４３は算出された評価値をもとに露出補正を行う。
【００３０】
ステップＳ１０７にて、図示しないＣＰＵは、ステップＳ１０６で動作させていた露出補正が終了したかを判断し、露出補正動作が終了したと判断したらステップＳ１０８に進める。終了していなければステップＳ１０５に戻り、補正動作を続けさせる。
【００３１】
ステップＳ１０８において、強制逆光検出部１４８は強制逆光補正ボタンが押されたかどうかを判定し、押されたと判断したらステップＳ１０９へ進める。また、押されていないと判断したならばステップＳ１０１に戻し、自動逆光検出部１４５は逆光度合いを算出し直し、再び自動逆光補正を継続する。
【００３２】
ステップＳ１０９では、階調補正量変更部１４７及び露出補正量変更部１４６はそれぞれ自動逆光補正で行った階調補正と露出補正の補正値をロックし、図示しないＣＰＵは、ステップ１１０に進める。
【００３３】
ステップＳ１１０において、階調補正量変更部１４７及び露出補正量変更部１４６はそれぞれ強制逆光用の階調補正と露出補正を行い、図示しないＣＰＵは、ステップＳ１１１に進める。
【００３４】
ステップＳ１１１では、階調補正量変更部１４７及び露出補正量変更部１４６は自動逆光で行った階調補正と強制逆光で行った階調補正の補正量の合計が、０．５Ｅｖ相当を超えたかどうかを判定を行う。ここで、この値を超えたと判定されたならば、図示しないＣＰＵはステップＳ１１２に進め、越え無かったならば処理を終了させる。
【００３５】
ステップＳ１１２では、階調補正量変更部１４７は、階調補正量に０．５Ｅｖ相当のリミットをかけて止め、図示しないＣＰＵは、ステップＳ１１３に進める。
【００３６】
ステップＳ１１３にて、階調補正量変更部１４７は、ステップＳ１１１、Ｓ１１２で階調補正しきれなかった補正量を算出し、図示しないＣＰＵはステップＳ１１４に進める。
【００３７】
ステップＳ１１４では、露出補正量変更部１４６はステップＳ１１３で算出された補正残り分を露出補正に回す補正量として算出する。そして、ＡＥ評価値算出部１４０及び各処理ユニット１４１〜１４３は、この産出値を用して露出補正を実行し、実行が終了したら、図示しないＣＰＵは、全体の処理を終了する。
【００３８】
以上のように、本実施形態では、自動逆光補正が行われているときに強制逆光補正を実行し、階調補正量があらかじめ決められたある一定量以上補正されてしまう場合、その階調補正量はあらかじめ決まられた最大補正値までの補正にする。これにより、補正後の画像は自然な階調を保つことができ、ユーザの要求する更に明るくの意思にある程度応えることができる。更に、本実施形態では、あらかじめ決められた最大階調補正量に突き当たってしまった場合、階調補正残り分を露出補正に回す。これにより、補正後の画像は自然な階調を保ちつつ、ユーザの要求する更に明るくの意思に相当応えることができる。
【００３９】
＜第２の実施形態＞
本実施形態のビデオカメラを説明するためのブロック図は、図１に示すブロック図と同じである。第１の実施形態では階調補正量の上限に関して説明を行ってきたが、本実施形態では露出補正量の上限について説明を行う。したがって、主に図１の露出補正量変更部１４６の動作について説明を行う。
【００４０】
自動逆光検出部１４５で逆光度合いを算出するまでの説明は第１の実施形態と同じである。自動逆光検出部１４５において逆光度合いＢが２０と算出され、その算出結果を露出補正量算出部１４６と階調補正量変更部１４７に送る。そして、それぞれのユニットにおいて、逆光度合いから露出補正量と階調補正量を図６のように決定する。
【００４１】
図６（ａ）のように、逆光度合いが０から１０へと上昇すると、露出補正より明るさが０．２５Ｅｖ分補正され、図６（ｂ）のように、逆光度合いが１０から２０へと上昇すると、階調補正により明るさがＥｖ値換算で０．２５Ｅｖ分補正される。
【００４２】
この補正の様子を階調の入出力特性で説明すると図７（ａ）のようになる。まず黒つぶれした被写体が図面中の丸の位置に存在する。逆光度合いがあ２０以上の場合は、まず露出補正で図面中の四角まで０．２５Ｅｖ分補正を行い、その後、階調補正により、図面中の三角まで０．２５Ｅｖ分補正を行う。この動作は図４（ａ）の動作順序が変わっただけであり、得られる効果は同じとなる。以上が自動逆光補正のみの動作となる。ここでも第１の実施形態と同様、図２のヒストグラム上で設定されている閾値Ａは露出変更分だけ変更しておく。
【００４３】
次に強制逆光検出部１４８について説明する。補正量は第１の実施形態と同じく露出補正量は０．５Ｅｖであり、階調補正量はＥｖ値換算で０．５Ｅｖ分である。補正順序が第１の実施形態とは異なり、露出補正、逆光補正の準としており、この補正の様子を階調の入出力特性で説明すると図７（ｂ）のようになる。まず黒つぶれした被写体が図面中の丸の位置に存在する。強制逆光補正ボタン１６０が押されたら、まず露出補正で図面中の四角まで０．５Ｅｖ分補正を行い、その後、階調補正により、図面中の三角まで０．５Ｅｖ分補正を行う。
【００４４】
ここで、自動逆光補正中に強制逆光補正ボタン１６０が押された場合の露出補正と階調補正について説明する。
【００４５】
まず、自動逆光検出部１４５で算出された逆光度合いＢが１０であるとする。すると、図６に示したように、露出補正が０．２５Ｅｖ分補正され、階調補正は行われない。この状態で、ユーザにより強制逆光補正ボタン１６０が押された場合、自動逆光補正で行っている全補正をロックする。これは、これから行われる強制逆光補正の補正結果により逆光度合い１０が変化してしまう可能性があるからである。強制逆光補正で補正する補正量は本来であれば、階調補正量０．５Ｅｖ相当分と露出補正量０．５Ｅｖ分が補正量として上乗せされる。
【００４６】
これを図７（ｃ）を用いて説明すると、まず自動逆光補正で露出補正が０．２５Ｅｖ分補正されて白丸から白四角に変化する。その後、強制逆光補正により、露出補正０．５Ｅｖ分で合計０．７５Ｅｖ分の黒星に変化し、階調補正０．５Ｅｖ分で黒三角に変化する。しかし、この補正では図７（ｃ）の白の５角形で示す明るさの被写体が、黒の十字で示した位置まで露出補正されてしまい、明るくなりすぎてしまう。したがって、自然な明るさの画像を得るために露出補正には限度があり、本実施形態においてはそれを０．５Ｅｖとしている。この数値は実際に撮影を行い画像を確認しながら効果と弊害のバランスで決めていくものであり、一義的に決まるものではない。
【００４７】
本実施形態の動作としては、まず自動逆光補正で露出補正が０．２５Ｅｖ分補正されて白丸から白四角に変化する。その後、強制逆光補正により、露出補正は合計０．５Ｅｖ分の限度に達し、白星で止まる。そして露出補正０．５Ｅｖ分で白三角に変化する。この露出補正量の限度判断は図１の露出補正量変更部１４６が行うこととなる。この動作制限により、自然な明るさを保ったまま、強制逆光補正の効果を出すことができる。更には、露出補正で補正しきれなかった０．２５Ｅｖ分、合計０．７５Ｅｖの階調補正を行うことで、狙った被写体の明るさにおいては強制逆光補正分の効果をすべて得ることができるようになる（図７（ｄ））。
【００４８】
以上説明してきた動作を図８のフローチャートを用いて説明する。本手順は、ビデオカメラのＣＰＵ（図示せず）が、各処理ユニットを制御し、その機能を動作させることにより実行される。
【００４９】
まず、ステップＳ２０１で、自動逆光検出部１４５は、撮影画像の逆光度合いＢを算出する。
【００５０】
ステップＳ２０２において、強制逆光検出部１４８は、強制逆光補正ボタンが押されたかどうかを判定し、押されたと判定されたら、図示しないＣＰＵは、ステップＳ２０９へ進め、自動逆光補正を強制終了させる。押されていないと判定されたならば、自動逆光補正を継続するためステップＳ２０３へ進める。
【００５１】
ステップＳ２０３において、露出補正量変更部１４６はステップＳ２０１で算出された逆光度合いＢを元に自動逆光用の露出補正量を算出し、ＡＥ評価値算出部１４０及び処理ユニット１４１〜１４３は、算出された露出補正量に従い撮影画像の露出補正を行う。
【００５２】
ステップＳ２０４にて、図示しないＣＰＵは、ステップＳ２０３でこれらのユニットに動作させていた露出補正が終了したかを判断し、露出補正動作が終了したと判断したらステップＳ２０５に進める。終了していなければステップＳ２０２に戻り、補正動作を続けさせる。
【００５３】
次に、ステップＳ２０５において、強制逆光検出部１４８は、再び強制逆光補正ボタンが押されたかどうかを判定し、押されたと判定されたら、図示しないＣＰＵは、ステップＳ２０９へ進め、自動逆光補正を強制終了させる。押されていないと判定されたならば、自動逆光補正を継続するためステップＳ２０６へ進める。
【００５４】
ステップＳ２０６において、階調補正量変更部１４７はステップＳ２０１で算出された逆光度合いＢを元に自動逆光用の階調補正量を算出し、階調変換部１３４は算出された補正量をもとに階調補正を行う。
【００５５】
ステップＳ２０７にて、図示しないＣＰＵは、ステップＳ２０６で動作させていた階調補正が終了したかを判断し、階調補正動作が終了したと判断したらステップＳ２０８に進める。終了していなければステップＳ２０５に戻り、補正動作を続けさせる。
【００５６】
ステップＳ２０８において、強制逆光検出部１４８は強制逆光補正ボタンが押されたかどうかを判定し、押されたと判断したらステップＳ２０９へ進める。また、押されていないと判断したならばステップＳ２０１に戻し、自動逆光検出部１４５は逆光度合いを算出し直し、再び自動逆光補正を継続する。
【００５７】
ステップＳ２０９では、階調補正量変更部１４７及び露出補正量変更部１４６はそれぞれ自動逆光補正で行った階調補正と露出補正の補正値をロックし、図示しないＣＰＵは、ステップ２１０に進める。
【００５８】
ステップＳ２１０において、階調補正量変更部１４７及び露出補正量変更部１４６はそれぞれ強制逆光用の階調補正と露出補正を行い、図示しないＣＰＵは、ステップＳ２１１に進める。
【００５９】
ステップＳ２１１では、階調補正量変更部１４７及び露出補正量変更部１４６は自動逆光で行った露出補正と強制逆光で行った露出補正の補正量の合計が、０．５Ｅｖ相当を超えたかどうかを判定を行う。ここで、この値を超えたと判定されたならば、図示しないＣＰＵはステップＳ２１２に進め、越え無かったならば処理を終了させる。
【００６０】
ステップＳ２１２では、露出補正量変更部１４６は、露出補正量に０．５Ｅｖのリミットをかけて止め、図示しないＣＰＵは、ステップＳ２１３に進める。
【００６１】
ステップＳ２１３にて、露出補正量変更部１４６は、ステップＳ２１１、Ｓ２１２で露出補正しきれなかった補正量を算出し、図示しないＣＰＵはステップＳ２１４に進める。
【００６２】
ステップＳ２１４では、階調補正量変更部１４７は、ステップＳ２１３で算出された補正残り分を階調補正に回して階調補正を実行し、実行が終了したら、図示しないＣＰＵは、全体の処理を終了する。
【００６３】
以上のように、本実施形態では、自動逆光補正が行われているときに強制逆光補正を実行し、露出補正量があらかじめ決められたある一定量以上補正されてしまう場合、その露出補正量はあらかじめ決まられた最大補正値までの補正にする。これにより、補正後の画像は自然な明るさを保つことができ、ユーザの要求する更に明るくの意思にある程度応えることができる。更に、本実施形態では、あらかじめ決められた最大露出補正量に突き当たってしまった場合、露出補正残り分を階調補正に回す。これにより、補正後の画像は自然な明るさを保ちつつ、ユーザの要求する更に明るくの意思に相当応えることができる。
【００６４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６５】
１３５  測光値取得部
１４０  ＡＥ評価値算出部
１４５  自動逆光検出部
１４６  露出補正量変更部
１４７  階調補正量変更部
１４８  強制逆光検出部
【図１】
0005653178.tif 000002
【図２】
0005653178.tif 000003
【図３】
0005653178.tif 000004
【図４】
0005653178.tif 000005
【図５】
0005653178.tif 000006
【図６】
0005653178.tif 000007
【図７】
0005653178.tif 000008
【図８】
0005653178.tif 000009